【事件の表示】
　特願２００３−２０４３１４「出没式筆記具」拒絶査定不服審判事件〔平成１７年　２月２４日出願公開、特開２００５−　４７０６４〕について、次のとおり審決する。
【結　論】
　本件審判の請求は、成り立たない。
【理　由】
第１　手続の経緯
　本願は、平成１５年７月３１日の特許出願であって、平成１９年１０月１５日付け及び平成２０年５月３０日付けで手続補正がなされたところ、同年８月１２日付けで拒絶査定がなされ、これに対し、同年９月１７日に拒絶査定不服審判の請求がなされるとともに同日付けで手続補正がなされたものである。
　
　
第２　平成２０年９月１７日付けの手続補正についての補正却下の決定
　
［補正却下の決定の結論］
　平成２０年９月１７日付けの手続補正を却下する。
　
［理由］
１．補正の内容
　平成２０年９月１７日付けの手続補正（以下「本件補正」という。）は、補正前の請求項１を、以下のように補正して、新たな請求項１とすることを含むものである。 
　
「【請求項１】　軸筒内にシャープペンシルユニットを出没可能に配置した出没式筆記具であって、前記シャープペンシルユニットは、芯挿通孔が形成されたスライド部材を前方に有し、また、シャープペンシルユニットの内部には芯繰り出し手段が前後動自在に配置されると共に、前記スライド部材と芯を把持・開放するチャック体の後退動作を連動させると共に、前記スライド部材の後退動作を、前記チャック体の係合によってなし、前記チャック体とスライド部材の係合部に隙間を設け、さらに、前記スライド部材を先部材内に位置させると共に、その先部材内を摺動させ、また、前記シャープペンシルユニットの後退時には、前記チャック体に係合したスライド部材が先部材の先端開口部から没入すると共に、前記スライド部材の中間部に設けられたＯリングと先部材内面との接触状態が解除されるが、スライド部材のＯリングよりも前方部は先部材内に位置することを特徴とする出没式筆記具。」
　
２．当審の判断 
　本件補正は、補正前の請求項１に、「また、前記シャープペンシルユニットの後退時には、前記チャック体に係合したスライド部材が先部材の先端開口部から没入すると共に、前記スライド部材の中間部に設けられたＯリングと先部材内面との接触状態が解除されるが、スライド部材のＯリングよりも前方部は先部材内に位置する」との事項を追加するものである。
　上記追加事項のうち、「前記スライド部材の中間部に設けられたＯリング」は、補正前の請求項１に係る発明のいずれの発明特定事項をも概念的に下位にしたものともいえないから、当該事項の追加は、請求項に記載した発明を特定するために必要な事項を限定するものとはいえない。また、上記「Ｏリング」に関する記載を含む、「前記シャープペンシルユニットの後退時には、・・・前記スライド部材の中間部に設けられたＯリングと先部材内面との接触状態が解除される、スライド部材のＯリングよりも前方部は先部材内に位置する」との追加事項についても、補正前の請求項１に係る発明のいずれの発明特定事項をも概念的に下位にしたものともいえないから、当該事項の追加は、請求項に記載した発明を特定するために必要な事項を限定するものとはいえない。
　したがって、本件補正は、平成１８年法律第５５号改正附則第３条第１項によりなお従前の例によるとされる同法における改正前の特許法第１７条の２第４項第２号の特許請求の範囲の減縮を目的とするものには該当しない。
　また、本件補正は、請求項の削除、誤記の訂正、明りようでない記載の釈明、のいずれにも該当しない。 
　
３．まとめ
　上記２．のとおり、本件補正は、平成１８年法律第５５条改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
４．進歩性についての付言
　なお、本件補正後の請求項１に係る発明（以下「本願補正発明」という。）は、以下で検討するとおり、特許を受けることができないものであるので、本件補正を受け入れる余地はない。 
　
（１）刊行物記載の発明
　原査定の拒絶の理由に引用された、本願の出願前に頒布された刊行物である特開２００２−３０１８９４号公報（以下「引用刊行物」という。）には、図面とともに以下の事項が記載されている。
　
ア　「【特許請求の範囲】
【請求項１】  芯挿通孔が形成されたスライド部材を軸筒の前方に有し、また、その軸筒の内部には芯繰り出し手段が前後動自在に配置されたシャープペンシルであって、前記スライド部材と、芯繰り出し手段の少なくとも１部材の後退動作を連動させたことを特徴とするシャープペンシル。
【請求項２】  前記請求項１に記載のシャープペンシルであって、前記芯繰り出し手段の少なくとも１部材を芯チャック体としたことを特徴とするシャープペンシル。
・・・
【請求項５】  前記請求項２に記載のシャープペンシルであって、前記チャック体とスライド部材との連動を、互いの部材に形成した段部同士の係合によってなしたことを特徴とするシャープペンシル。
・・・
【請求項８】  前記請求項１或いは、請求項５に記載シャープペンシルであって、前記チャック体の外面に突部を形成すると共に、前記スライド部材の後部には、前記突部が係合する係合孔を形成したことを特徴とするシャープペンシル。」
　
イ　「【発明の詳細な説明】
【０００１】
【発明の属する技術分野】本発明は、芯挿通孔が形成されたスライド部材を軸筒の前方に有し、また、その軸筒の内部には芯繰り出し手段が前後動自在に配置されたシャープペンシルに関する。
【０００２】
【従来の技術】従来例の１例として、実開昭５６−４４１９１号公報を挙げ説明すれば、軸本体の内部には、芯タンクが前後動自在に配置されており、その芯タンクの前端には、芯を前方に向けて送り出すチャック体が固定されている。また、そのチャック体の前方部分には、チャックリングが囲繞されており、前記チャック体の開閉を行っている。さらに、前記軸本体の前端には、先部材が固定されており、その先部材には、芯挿通孔が形成され、また、芯戻り止め部材が圧入されたスライド部材が前記先部材の先端部に対して出没可能に配置されている。」
　
ウ　「【０００３】
【発明が解決しようとする課題】しかし、上記の従来技術にあっては、チャック体から外れてしまった短い芯（以下、残芯という。）の後端と、後続する新しい芯（以下、後続芯という。）の前端との間に隙間が発生してしまっていた。これは、チャック体の後退動作が終了する直前にチャックリングによって前記チャック体が閉鎖され、後続芯を把持した状態で後退するのに対して、この時、短くなった残芯は、前記後続芯とは独立した状態で、しかも、先部材内の芯戻り止め部材に軽く保持されている状態にあり、後退しないためである。そして、前記隙間が発生してしまうと、筆記の際にその筆圧で残芯が後退し、書き損じを発生させてしまうと共に、違和感を募らせてしまうものであった。また、上記の現象を嫌い、残芯をガイド部材から引き抜いてしまい、次いで後続する新しい芯を繰り出すユーザーもいて、残芯を有効に使用することができない場合もあった。」
　
エ　「【０００４】
【課題を解決するための手段】本発明の目的は、上記の従来技術の欠陥を払拭し、残芯を有効に使用することのできる新規な構成のシャープペンシルを提供することである。本発明は、芯挿通孔が形成されたスライド部材を軸筒の前方に有し、また、その軸筒の内部には芯繰り出し手段が前後動自在に配置されたシャープペンシルであって、前記スライド部材と、芯繰り出し手段の少なくとも１部材の後退動作を連動させたことを第１の要旨とし、・・・
【０００５】
【作用】上記本発明の構成において、スライダーの後退動作によって、残芯が後続芯と接触した状態で後退する。」
　
オ　「【００３０】第１５例を図５３、図５４に示し説明する。前記第１４例と同様な構成については、同一符号を付す。軸本体５８の内部には、芯タンク５９が前後動自在に配置されており、その芯タンク５９の前端には開閉可能なチャック体６０が固定されている。そのチャック体６０の前方部には、チャック体６０の開閉を行うチャックリング６１が囲繞している。また、これらの部材を後方に付勢するコイルスプリングなどの弾撥部材Ｓが、前記芯タンク５９と軸筒５８の内面段部９３との間に張設されている。そして、これら芯タンク５９やチャック体６０、チャックリング６１、並びに、弾撥部材Ｓなどから本発明の芯繰り出し手段９４が構成されている。また、前記軸本体５８の前部には、先部材６５が螺着などの手段によって着脱自在に固定されており、その先部材６５には、その先端から突出するスライド部材６７が摺動自在に内設している。そして、そのスライド部材６７の内部には、芯を案内する案内部材９５と、その案内部材９５の前方に芯を軽く保持し、芯の後退を阻止するシリコーンゴムやＮＢＲなどの弾性体からなる芯戻り止め部材９６が配置されているが、これら案内部材と芯戻り止め部材９６を先部材と一体成形などしても良い。さらに、前記スライド部材６７の後方には、筒状部７１が形成されており、その筒状部７１には係合孔７２が対向した位置に形成されている。また、その係合孔７２に連接して、筒状部７１にはスリットが形成されており、その筒状部７１に外部作用を与えれば、弾性変形力によって拡開可能なものとなっている。そして、前記係合孔７２には、前記チャック体６０の前方外周に形成された突部７０が遊挿している。なお、前記先部材６５の内面後方には、段部９７が形成されている。前記チャックリング６１の前進移動が阻止される規制部であり、その段部９７にチャックリング６１が当接すると、チャック体６０が拡開され、把持している芯が解放される。
【００３１】ここで、前記チャックリング６１が段部９７に当接するまでの距離Ｖは、前記チャック体６０の突部７０がスライド部材６７の係合孔７２の前端部に当接するまでの距離Ｗよりも少なく設定されている。即ち、チャックリング６１が段部９７に当接し、チャック体６０が拡開した後に、チャック体６０の突部７０が係合孔７２の前端部に当接するようになっている。具体的に説明すると、前記距離Ｖは、距離Ｗよりも０．１ｍｍほど短く設定されているが、０．０５ｍｍ〜１．０ｍｍ程度の差であるならば、十分に機能する。ちなみに、１．０ｍｍでも機能はするものの、芯の突出量が多くなってしまい、後における芯の突出量の調整が面倒となる。また、前記スライド部材６７の筒状部７１付近と軸本体５８との間には、隙間Ｘが形成されているが、その隙間Ｘは、前記チャック体６０とスライド部材６７との嵌め合い距離Ｙよりも少なく設定されている。即ち、チャック体６０の突部７０をスライド部材６７の係合孔７２に遊挿する（組み付ける）時には、係合孔７２近傍の筒状部７１が拡開するが、先部材６５を軸筒１に組み付けた後においては、筒状部７１の拡開が規制され、突部７０と係合孔７２との遊挿状態が保たれる。つまり、突部７０が係合孔７２から抜け出てしまうようなことがない。さらに、本例のスライド部材は、前記１４例の変形例で示した様なスリット８３を有するスライド部材になっており、そのスリットの幅は、スライド部材を先部材に装着した際、例え、そのスリットが拡開してもチャック体の突部が抜けでない幅となっている。即ち、チャック体の突部の幅とスリットの幅の差は、先部材の内径とスライド部材の筒状部の外径の差よりも大きなものとなっている。
【００３２】符号９８は、前記先部材６５の内面リブ６５ａとスライド部材６７との間に介在されたゴム材質などからなるＯリングであって、そのＯリング９８によって摺動抵抗を付与している。そのスライド部材６７の先部材６５に対する摺動抵抗力は、芯の前記芯戻り止め部材９６に対する摺動抵抗力よりも大きく設定されている。即ち、チャック体６０と共に芯が前進しても、スライド部材６７は先部材６５に対して移動が規制されている。ちなみに、前記芯戻り止め部材の芯保持力は、２０ｇｆ〜１００ｇｆが好適な値であり、この値より小さいと芯が滑り落ちてきてしまう危険性があり、逆に、高いと芯が繰り出せなくなってしまう危険性がある。なお、本例では、Ｏリング９８を先部材６５に形成した内面リブ６５ａに摺接させているが、内面リブに変え、単に筒状の内面に摺接させても良いが、Ｏリングの不慮の変形や摺動による空気の圧縮などを考慮すると、リブ状とするのが好ましい。また、前記軸本体１の後部には、クリップ６２が形成された基部６２ａが圧入・固定されており、さらに、前記芯タンク５９の後部には、消しゴム６３が着脱自在に取り付けられている。符号６４は、その消しゴム６３を覆うノックキャップであり、前記芯タンク５９の後部に着脱自在に取り付けられている。一方、軸筒５８の前方には、ゴム材質などからなるグリップ部材６６が装着されている。そのグリップ部材６６は、軸筒１に形成された凹部５８ａと先部材６５に形成された凹部６５ｂに跨るように装着されており、先部材６５の軸筒１に対する緩みが防止されていると共に、先部材６５の前方まで指で把持することが可能なものとなっている。この構成は、前記第１４例と同様である。
【００３３】次に、動作について説明する。図５３の状態は、チャック体６０から離れた残芯Ａが芯戻り止め部材９６に保持され、また、後続芯Ｂがチャック体６０に把持されている状態である。また、スライド部材６７は、チャック体６０突部７０によって後方に引き寄せられている。この状態から芯タンク５９を前方に押圧すると、チャックリング６１と共にチャック体６０と、そのチャック体６０に把持されている後続芯Ｂ、並びに、その後続芯Ｂに押されて残芯Ａが前進する。この時、残芯Ａはスライド部材６７の芯戻り止め部材９６に軽く保持されているため、そのスライド部材６７も前進しようとするが、スライド部材６７の先部材６５に対する摺動抵抗力が大きく設定されているため、スライド部材６７は移動せず、残芯Ａが前記戻り止め部材９６内を摺動し、スライド部材６７の先端から突出する。やがて、チャックリング６１は、先部材６５の段部９７に当接し、その前進移動が規制される。この時、チャック体６０の突部７０とスライド部材６７の係合孔７２の前端部との間には、隙間Ｚが形成されている（図５５参照）。ここで、さらに芯タンク５９が前進すると、チャック体６０は僅かに後続芯Ｂ（並びに残芯Ａ）を前進させながら、そのチャック体６０の突部７０を係合孔７２の前端部に当接させる（図５６参照）。この時、チャック体６０が拡開し、把持していた後続芯Ｂを解放するが、前記チャックリング６１が段部９７に当接した瞬間にチャック体６０が拡開するようにしても良い。
【００３４】さらに芯タンク５９が前進すると、チャック体６０の突部７０は、スライド部材６７を前進移動させる。やがて、スライド部材６７の中間段部７６が先部材６５内面リブ６５ａの後端部６５ｂに当接し、その前進移動が阻止される（図５７参照）。ここで、芯タンク５９の前進移動を解除すると、前記チャック体６０が拡開した状態で後退するが、スライド部材６７は、Ｏリング９８によって抵抗を付与されているため後退はしない。やがてチャック体６０の突部７０が、前記スライド部材６７の係合孔７２の後端部に当接すると（図５８参照）、スライド部材６７の後退動作が開始される。やがて、チャック体６０は、チャックリング６１によって閉鎖せしめられ、後続芯Ｂを再び把持する（図５３参照）。このとき、後続芯Ｂを把持した状態で、従来技術と同様にチャック体６０は多少後退するが、スライド部材６７をも後退させるため、後続芯Ｂと残芯Ａとの間に隙間を形成してしまうようなことがない。尚、前記の様に、後続芯Ｂや残芯Ａが後退してしまうが、スライド部材６７と共に先部材６５に対して後退するため、スライド部材６７に対しては後退せず、もって、スライド部材６７先端からの突出長さが減少するようなこともない。また、スライド部材６７の係合孔７２は、チャック体６０の突部７０に係合しているため、押圧操作解除後においてもその後退位置を維持し続け、自重で落下するなどして、後続芯Ｂと残芯Ａとの間に隙間を形成してしまうようなこともない。この様に、本実施例においては、チャックリング６１を段部９７に当接させた後に、即ち、チャック体６０が拡開した後に、チャック体６０の突部７０を係合孔７２の前端部に当接させているので、チャック体６０が何らの規制も受けずに拡開することができ、もって、心地よいチャックリングの弾き音を得ることができる。」
　
カ　上記オにおいて参照する図５４から、Ｏリング９８は、スライド部材６７の中間部に設けられていることが見て取れる。
　
　上記摘記事項の記載を総合すると、引用刊行物には、次の発明（以下「引用発明」という。）が記載されていると認められる。 
　
「芯挿通孔が形成されたスライド部材を軸筒の前方に有し、また、その軸筒の内部には芯繰り出し手段が前後動自在に配置されたシャープペンシルであって、前記スライド部材と、芯繰り出し手段の少なくとも１部材の後退動作を連動させ、
　前記芯繰り出し手段の少なくとも１部材を芯チャック体とし、
　前記チャック体とスライド部材との連動を、互いの部材に形成した段部同士の係合によってなし、
　軸本体の前部には、先部材が螺着などの手段によって着脱自在に固定されており、その先部材には、その先端から突出するスライド部材が摺動自在に内設しており、
　前記先部材の内面リブとスライド部材との間に介在されたゴム材質などからなるＯリングであって、スライド部材の中間部に設けられたＯリングを有し、そのＯリングによって摺動抵抗を付与しており、
　前記スライド部材の後方には、筒状部が形成されており、その筒状部には係合孔が対向した位置に形成されており、
　前記係合孔には、前記チャック体の前方外周に形成された突部が遊挿しており、前記チャック体の突部がスライド部材の係合孔の前端部に当接するまでの距離として距離Ｗを有しており、
　前記先部材の内面後方には、段部が形成され、チャックリングの前進移動が阻止される規制部であり、その段部にチャックリングが当接すると、チャック体が拡開され、把持している芯が解放され、
　スライド部材の係合孔は、チャック体の突部に係合しているため、押圧操作解除後においてもその後退位置を維持し続け、自重で落下するなどして、後続芯Ｂと残芯Ａとの間に隙間を形成してしまうようなこともない、
　シャープペンシル。」
　
（２）対比
　本願補正発明と引用発明とを対比する。
　
ア　引用発明の「シャープペンシル」は、軸筒の内部に芯繰り出し手段が前後動自在に配置されたものであるから、「軸筒内にシャープペンシルユニットを配置した筆記具」である点で、本願補正発明の「軸筒内にシャープペンシルユニットを出没可能に配置した出没式筆記具」と一致する。
　
イ　引用発明の「芯挿通孔が形成されたスライド部材を軸筒の前方に有し」との事項は、本願補正発明の「シャープペンシルユニットは、芯挿通孔が形成されたスライド部材を前方に有し」との事項に相当する。
　
ウ　引用発明の「チャック体」は、「芯チャック体」であり、先部材の内面後方の段部にチャックリングが当接すると、チャック体が拡開され、把持している芯が解放されるものであるから、本願補正発明の「芯を把持・開放するチャック体」に相当する。そして、引用発明においては、「前記スライド部材と、芯繰り出し手段の少なくとも１部材の後退動作を連動させ」、「前記芯繰り出し手段の少なくとも１部材を芯チャック体とし」、かつ、「前記チャック体とスライド部材との連動を、互いの部材に形成した段部同士の係合によってなし」ているから、引用発明は、本願補正発明の「前記スライド部材と芯を把持・開放するチャック体の後退動作を連動させると共に、前記スライド部材の後退動作を、前記チャック体の係合によってなし」との特定事項を備える。
　
エ　引用発明は、「前記チャック体の突部がスライド部材の係合孔の前端部に当接するまでの距離として距離Ｗを有して」いるものであるから、引用発明は、本願補正発明の「前記チャック体とスライド部材の係合部に隙間を設け」との特定事項を備える。
　
オ　引用発明は、「先部材には、その先端から突出するスライド部材が摺動自在に内設して」いるものであるから、引用発明は、本願補正発明の「前記スライド部材を先部材内に位置させると共に、その先部材内を摺動させ」との特定事項を備える。
　
カ　引用発明の「前記先部材の内面リブとスライド部材との間に介在されたゴム材質などからなるＯリングであって、スライド部材の中間部に設けられたＯリングを有し、そのＯリングによって摺動抵抗を付与しており」との事項は、「スライド部材の中間部に設けられたＯリングを有し、後退時を除き、Ｏリングと先部材内面とが接触状態にある」点で、本願補正発明の「前記シャープペンシルユニットの後退時には、前記チャック体に係合したスライド部材が先部材の先端開口部から没入すると共に、前記スライド部材の中間部に設けられたＯリングと先部材内面との接触状態が解除されるが、スライド部材のＯリングよりも前方部は先部材内に位置する」との特定事項と一致するといえる。
　
　したがって、本願補正発明と引用発明とは、 
「軸筒内にシャープペンシルユニットを配置した筆記具であって、前記シャープペンシルユニットは、芯挿通孔が形成されたスライド部材を前方に有し、また、シャープペンシルユニットの内部には芯繰り出し手段が前後動自在に配置されると共に、前記スライド部材と芯を把持・開放するチャック体の後退動作を連動させると共に、前記スライド部材の後退動作を、前記チャック体の係合によってなし、前記チャック体とスライド部材の係合部に隙間を設け、さらに、前記スライド部材を先部材内に位置させると共に、その先部材内を摺動させ、前記スライド部材の中間部に設けられたＯリングを有し、後退時を除き、前記Ｏリングと先部材内面とが接触状態にある、筆記具。」
である点で一致し、以下の点で相違するものと認められる。 
　 
相違点
　本願補正発明は、「軸筒内にシャープペンシルユニットを出没可能に配置した出没式筆記具」であって、「前記シャープペンシルユニットの後退時には、前記チャック体に係合したスライド部材が先部材の先端開口部から没入すると共に、前記スライド部材の中間部に設けられたＯリングと先部材内面との接触状態が解除されるが、スライド部材のＯリングよりも前方部は先部材内に位置する」とされているのに対して、引用発明はそのようなものであるか否か不明である点。
　
（３）判断
　上記相違点について検討する。 
　軸筒内にシャープペンシルユニットを出没可能に配置した出没式筆記具として、後退時にチャック体に係合したスライド部材が先部材の先端開口部から没入する構成とされたものは、例を挙げるまでもなく本願出願時において周知であって、引用刊行物においても、上記（１）イの段落０００２に従来技術として記載されるところである。したがって、引用発明のシャープペンシルを、上記周知の出没式筆記具となすことは、当業者が容易になし得たことである。
　
　ここで、上記相違点の「前記シャープペンシルユニットの後退時には、・・・前記スライド部材の中間部に設けられたＯリングと先部材内面との接触状態が解除されるが、スライド部材のＯリングよりも前方部は先部材内に位置する」との事項は、本件補正において追加された事項であるが、その補正の根拠は、没入状態を示す図３において、Ｏリング２５が先部材の内面リブ２６に接触していないように見て取れる点のみであり、明細書中には、当該事項の技術上の意義は全く記載されていない。してみると、上記の事項は、特段の技術的意義を備えるものではなく、先部材の内面リブの長さと、Ｏリングのスライド部材中の位置、及びスライド部材の後退距離等の設計によって当業者が適宜定め得る程度の事項であると認められる。
　また、引用発明も、スライド部材の中間部に先部材内面との接触状態にあるＯリングを有しているところ、上記のとおり、周知技術に基づいて引用発明をスライド部材が先部材の先端開口部から没入する構成の出没式筆記具となす際には、スライド部材が十分な距離だけ後退する必要があることは明らかであることに照らせば、シャープペンシルユニットの後退時に、前記スライド部材の中間部に設けられたＯリングと先部材内面との接触状態が解除されるが、スライド部材のＯリングよりも前方部は先部材内に位置するようになし、本願補正発明の上記相違点に係る特定事項とすることは、格別の創意工夫を要することなく当業者が適宜なし得る設計的事項というべきである。
　
　そして、本願補正発明によってもたらされる効果は、引用発明及び上記周知技術から予測し得る程度のものである。
　
　したがって、本願補正発明は、引用刊行物に記載の発明及び周知技術に基づいて当業者が容易に発明をすることができたものであるから、特許法第２９条第２項の規定により、特許を受けることができないものである。  
　
　
第３　本願発明について
　
１．本願発明
　本件補正は上記第２のとおり却下されたので、本願の請求項に係る発明は、平成２０年５月３０日付け手続補正後の特許請求の範囲の請求項１〜２に記載された事項によって特定されるものであるところ、その請求項１に係る発明は次のとおりのものである。
　
「軸筒内にシャープペンシルユニットを出没可能に配置した出没式筆記具であって、前記シャープペンシルユニットは、芯挿通孔が形成されたスライド部材を前方に有し、また、シャープペンシルユニットの内部には芯繰り出し手段が前後動自在に配置されると共に、前記スライド部材と芯を把持・開放するチャック体の後退動作を連動させると共に、前記スライド部材の後退動作を、前記チャック体の係合によってなし、前記チャック体とスライド部材の係合部に隙間を設け、さらに、前記スライド部材を先部材内に位置させると共に、その先部材内を摺動させたことを特徴とする出没式筆記具。」（以下「本願発明」という。）
　
２．刊行物記載の発明
　原査定の拒絶の理由に引用された、本願の出願前に頒布された刊行物である特開２００２−３０１８９４号公報（「引用刊行物」）には、上記第２の４．（１）に摘記した事項及び引用発明が記載されている。
　
３．対比・判断
　本願発明と引用発明とを対比する。
　本願発明は、上記第２の１．に示した本願補正発明から、「また、前記シャープペンシルユニットの後退時には、前記チャック体に係合したスライド部材が先部材の先端開口部から没入すると共に、前記スライド部材の中間部に設けられたＯリングと先部材内面との接触状態が解除されるが、スライド部材のＯリングよりも前方部は先部材内に位置する」との事項を省いたものである。
　してみると、上記第２の４．（２）に示した本願補正発明と引用発明の対比に照らせば、本願発明と引用発明とは、
「軸筒内にシャープペンシルユニットを配置した筆記具であって、前記シャープペンシルユニットは、芯挿通孔が形成されたスライド部材を前方に有し、また、シャープペンシルユニットの内部には芯繰り出し手段が前後動自在に配置されると共に、前記スライド部材と芯を把持・開放するチャック体の後退動作を連動させると共に、前記スライド部材の後退動作を、前記チャック体の係合によってなし、前記チャック体とスライド部材の係合部に隙間を設け、さらに、前記スライド部材を先部材内に位置させると共に、その先部材内を摺動させた、筆記具。」
である点で一致し、
本願補正発明は、「軸筒内にシャープペンシルユニットを出没可能に配置した出没式筆記具」であるのに対して、引用発明はそのようなものであるか否か不明である点で相違するものと認められる。
　上記相違点について検討するに、上記第２の４．（２）に示したとおり、軸筒内にシャープペンシルユニットを出没可能に配置した出没式筆記具は、本願出願時において周知であって、引用刊行物においても従来技術として記載されているものである。したがって、引用発明のシャープペンシルを、上記周知の出没式筆記具となし、本願発明とすることは、当業者が容易になし得たことである。
　そして、本願発明によってもたらされる効果は、引用発明及び上記周知技術から当業者が予測し得る程度のものである。
　
４．むすび
　以上のとおり、本願発明は、引用刊行物に記載された発明及び周知技術に基づいて当業者が容易に発明できたものであるから、特許法第２９条第２項の規定により、特許を受けることができない。
　
　よって、結論のとおり審決する。